(57)【要約】【課題】  容器内収納のゲル状物等を、破損することなく、完全な形状を保ったままで容易に取出し可能とした。【解決手段】  底壁２外周から垂下させた脚筒３を上方延長させて周壁４を起立させた容器体１と、該容器上面を閉塞させて周壁上端面へ剥離可能に貼着した頂壁11とを有し、脚筒３一部を摘み片６とし、該摘み片から、該摘み片と対向する脚筒部分に設けた切欠き８を通って該切欠き上方の周壁上端までの底壁および周壁部分を除去用帯状部９とした。【選択図】  図１
2005212879.tif 000002
【特許請求の範囲】
【請求項１】
底壁２外周から垂設した脚筒３を上方延長させて上端面開口の周壁４を起立する容器体１と、該容器体上面を閉塞させて周壁上端面へ剥離可能に貼着させた頂壁11とを有し、
上記脚筒一部を摘み片６とし、かつ該摘み片と対向する脚筒一部分を切欠き８して、摘み片６から切欠き８部分を通って切欠き８上方の周壁上端までの底壁部分と周壁部分とを除去用帯状部９として、上記摘み片６を介して除去用帯状部９の除去が可能に形成した
ことを特徴とするゲル状物等収納容器。
【請求項２】
底壁２外周から垂設した脚筒３を上方延長させて上端面開口の周壁４を起立する容器体１と、該容器体上面を閉塞させて周壁上端面へ剥離可能に貼着させた頂壁11とを有し、
上記脚筒３の一部と、該一部と対向する脚筒部分とを共に第１、第２切欠き12,13 すると共に、該第１切欠き12上方の周壁上端へ摘み片６を付設し、該摘み片から第１切欠き12を通って第２切欠き13へいたる周壁および底壁部分を除去用帯状部９に形成し、上記摘み片６を介して除去用帯状部９の除去が可能に形成した
ことを特徴とするゲル状物等収納容器。
【請求項３】
上記除去用帯状部９を第２切欠き13上方の周壁部分上端まで延長した
ことを特徴とする請求項２記載のゲル状物等収納容器。
【発明の詳細な説明】
【技術分野】
【０００１】
本発明は収納容器を外して収納物の原形を損なわないままで取出すことが可能に設けたゲル状物等収納容器に関する。
【背景技術】
【０００２】
ゲル状食品収納容器として、凹球面状で上端面開放の容器体内へゲル状食品を収納させて容器体上面を頂壁で閉塞させ、又容器体底部から棒状に突出された突部を押すと突起部基端に周設した破断用線が切断されてその容器体に外気流入孔が形成され、すると容器体内面と、収納されているゲル状食品との間に外気が入って、容易にゲル状食品を取出し可能とした容器が知られている。
【０００３】
しかし上記棒状突起部は小さく、除去し難いため、容器体底壁の外周部から複数の脚を垂下させ、これ等脚下端よりも上方に位置させて容器体底面から板部を垂下させ、該板押圧により外気流入孔が開口できるようにした容器が知られている（特許文献１）。
【特許文献１】特開２００１−１３９０８７号公報
【発明の開示】
【発明が解決しようとする課題】
【０００４】
本発明は、上記ゲル状食品等の取出しが更に容易であるよう設けたものである。
【課題を解決するための手段】
【０００５】
第１の手段として底壁２外周から垂設した脚筒３を上方延長させて上端面開口の周壁４を起立する容器体１と、該容器体上面を閉塞させて周壁上端面へ剥離可能に貼着させた頂壁11とを有し、
上記脚筒一部を摘み片６とし、かつ該摘み片と対向する脚筒一部分を切欠き８して、摘み片６から切欠き８部分を通って切欠き８上方の周壁上端までの底壁部分と周壁部分とを除去用帯状部９として、上記摘み片６を介して除去用帯状部９の除去が可能に形成した。    
【０００６】
第２の手段として底壁２外周から垂設した脚筒３を上方延長させて上端面開口の周壁４を起立する容器体１と、該容器体上面を閉塞させて周壁上端面へ剥離可能に貼着させた頂壁11とを有し、
上記脚筒３の一部と、該一部と対向する脚筒部分とを共に第１、第２切欠き12,13 すると共に、該第１切欠き12上方の周壁上端へ摘み片６を付設し、該摘み片から第１切欠き12を通って第２切欠き13へいたる周壁および底壁部分を除去用帯状部９に形成し、上記摘み片６を介して除去用帯状部９の除去が可能に形成した。
【０００７】
第３の手段として、上記第２の手段を有すると共に上記除去用帯状部９を第２切欠き13上方の周壁部分上端まで延長した。
【発明の効果】
【０００８】
請求項１記載のようにすることで、摘み片６は底壁外周から垂下する脚筒３一部で形成するから、摘み片両側の脚筒部分が保護壁となってその摘み片だけが突出している場合のようにその摘み片に他物が当たってその摘み片上端と連続する除去用帯状部９基端が底壁から破断するようなことはなく、又その摘み片６上方の周壁部分には除去用帯状部を設けないから、除去用帯状部９除去後は、上記摘み片６上方の周壁部分を中心として容器体１を開くことができ、よって収納物が例えばアイスケーキ等、容器内面から離れ難い場合も容易に収納物を取出すことが出来る。
【０００９】
又摘み片６と対向する脚筒部分は切欠き８としたから、該部分への除去用帯状部９の形成が容易となる。
【００１０】
請求項２のようにすれば、請求項１の場合と同様に、除去用帯状部９破断で容器体を大きく開いて容器内面から外し難い収納物があっても容易に取出しできると共に、除去用帯状部９破断後も、破断された容器体と除去用帯状部とは第２切欠き13上方の周壁部分において互いに連続するから、それ等がそれぞれ分離する場合のようにそれ等が分散することがなく、処分が面倒となることがない。
【００１１】
請求項３のようにすれば、除去用帯状部除去後、容器体は三分割される点で請求項１および２の場合と異なるものの、その他の点では上記各効果を有するものである。
【発明を実施するための最良の形態】
【００１２】
図１から図４は第１実施形態を示す。該第１実施形態について説明する。尚図２を除いて容器は倒立状態で示している。容器体１は左右方向へ長い長方形状の底壁２外周から脚筒３を垂下し、又脚筒を上方延長させて上端面開口の周壁４を起立している。その周壁上端には外向きフランジ５を付設することが望ましい。上記脚筒左右両部一方の前後方向中間部分を摘み片６とし、その両側に切離し部７，７を形成している。又摘み片と対向する脚筒一部を切欠き８とし、上記摘み片両側から切欠き８を通って切欠き上方の周壁部分上端までの底壁部分と周壁部分とを除去用帯状部９とする。該帯状部はその両側に肉薄の破断用線10を付形して形成する。既述のように外向きフランジ５を付設したときは、その外向きフランジ部分まで破断用線10を穿設してその間のフランジ部分も除去用帯状部とする。脚筒３および周壁４は上方大径のテーパ状としているが周壁だけをテーパ状とすることも考えられる。又周壁４は円筒等としてもよい。
【００１３】
周壁４上端へは頂壁11外周を剥離可能に貼着させる。図示のように外向きフランジ５を付設すれば、そのフランジ上面を頂壁貼着用接着代とすることが出来る。頂壁11は耐水性を有する適宜シール材で形成すればよい。
【００１４】
上記容器内の収納物12を取出す場合は、図３が示すように上記摘み片６を下内方へ強く引き、破断用線10破断で除去用帯状部９を除去した後、周壁上端と頂壁とを剥離し、次いで図４が示すように切欠き８側周壁部分を前後に開けばよい。
【００１５】
図５は第２実施形態を示す。第１実施形態と同一部分については同一符号を付することで説明を省略し、相違部分についてだけ説明すると、脚筒３一部と該一部と対向する脚筒部分とを、第１、第２切欠き12,13 し、第１切欠き12上方の周壁部分上端へ摘み片６を付設している。外向きフランジ５を付設した場合は図示のようにそのフランジ部分外縁から突出させる。又摘み片６から第１切欠き12を通って第２切欠き13までの周壁部分および底壁部分を除去用帯状部９とし、その両側へ肉薄の破断用線10を穿設する。
【００１６】
尚破断用線10は第２切欠き13まででもよく、又第２切欠き上方の周壁部分上端ないし該上端から突出する外向きフランジ外端まで穿設してもよく、前者の場合は上記摘み片６により第２切欠き13まで破断し、該第２切欠き上方の周壁部分は破断しないままで残すこととなるが、後者の場合は上記周壁上端ないし外向きフランジ外端まで破断することとなる。
【図面の簡単な説明】
【００１７】
【図１】本発明容器を倒立状態で示す斜視図である。
【図２】図１容器を正立状態で示す分解斜視図である。
【図３】図１容器の除去用帯状部の剥ぎ取り状態を示す斜視図である。
【図４】図３の容器内除去収納物取出し状態を示す斜視図である。
【図５】第２実施形態で示す容器の斜視図である。
【符号の説明】
【００１８】
１  容器体                          ２  底壁
３  脚筒                            ４  周壁
５  外向きフランジ                  ６  摘み片
７  切離し部                        ８  切欠き
９  除去用帯状部                    10  破断用線
11  頂壁                            12  第１切欠き
13  第２切欠き
【図１】
2005212879.tif 000003
【図２】
2005212879.tif 000004
【図３】
2005212879.tif 000005
【図４】
2005212879.tif 000006
【図５】
2005212879.tif 000007